(57)【要約】【課題】従来技術に比して、コストを低くして実施できるうえに、意匠的外観が良い太陽集熱器一体型の屋根用折板を提供する。【解決手段】山部４ａ，・・・と谷部４ｂ，・・・とが連続して成る折板４０における谷部４ｂ，・・・が、集光型の複合放物面形状に形成され、集光型の複合放物面形状の谷部４ｂ，・・・の略焦線部分Ｓ，・・・に、集熱管５がそれぞれ設けられた構成とされている。【選択図】図１
2009275451.tif 000002
【特許請求の範囲】
【請求項１】
山部と谷部とが連続して成る折板における前記谷部が、集光型の放物面形状又は複合放物面形状に形成され、該集光型の放物面形状又は複合放物面形状の谷部の略焦線部分に、集熱管が設けられていることを特徴とする太陽集熱器一体型の屋根用折板。
【請求項２】
前記折板の前記集光型の放物面形状又は複合放物面形状の谷部の下側面に断熱材が設けられていることを特徴とする請求項１に記載の太陽集熱器一体型の屋根用折板。
【請求項３】
前記集熱管が、透明管に囲まれ、これらの間の空間が真空とされていることを特徴とする請求項１又は２に記載の太陽集熱器一体型の屋根用折板。
【請求項４】
前記折板の上側面が、透明板で塞がれていることを特徴とする請求項１乃至３のいずれか一項に記載の太陽集熱器一体型の屋根用折板。
【請求項５】
前記折板の前記山部の頂部に、膨出部が設けられていることを特徴とする請求項１乃至４のいずれか一項に記載の太陽集熱器一体型の屋根用折板。
【請求項６】
請求項１乃至５のいずれか一項に記載の太陽集熱器一体型の屋根用折板を備えていることを特徴とする屋根。
【発明の詳細な説明】
【技術分野】
【０００１】
本発明は、太陽集熱器一体型の屋根用折板及び同屋根用折板を備えた屋根に関するものである。
【背景技術】
【０００２】
従来から、太陽光により、暖房用や製温水用の熱媒を加熱することなどに利用される太陽集熱器は公知であり、実用に供されている。
【０００３】
また、反射板を放物面形状とした太陽集熱器や反射板を複合放物面形状とした太陽集熱器、所謂ＣＰＣ（Compound Parabolic Concentrator）も公知である（特許文献１等を参照）。
【特許文献１】特開２００３−３１４９０２号公報
【発明の開示】
【発明が解決しようとする課題】
【０００４】
しかしながら、特許文献１のような従来技術では、太陽集熱器を別途用意し、屋根に設置しなければならず、コストが高いうえに、意匠的外観が良くないという問題があった。
【０００５】
そこで、本発明は、従来技術に比して、コストを低くして実施できるうえに、意匠的外観が良い太陽集熱器一体型の屋根用折板及び同屋根用折板を備えた屋根を提供することを目的としている。
【課題を解決するための手段】
【０００６】
前記目的を達成するために、本発明の太陽集熱器一体型の屋根用折板は、山部と谷部とが連続して成る折板における前記谷部が、集光型の放物面形状又は複合放物面形状に形成され、該集光型の放物面形状又は複合放物面形状の谷部の略焦線部分に、集熱管が設けられていることを特徴とする。
【０００７】
ここで、前記折板の前記集光型の放物面形状又は複合放物面形状の谷部の下側面に断熱材が設けられているとよい。
【０００８】
また、前記集熱管が、透明管に囲まれ、これらの間の空間が真空とされているとよい。
【０００９】
さらに、前記折板の上側面が、透明板で塞がれているとよい。
【００１０】
また、前記折板の前記山部の頂部に、膨出部が設けられているとよい。
【００１１】
本発明の屋根は、上記したいずれかの太陽集熱器一体型の屋根用折板を備えていることを特徴とする。
【発明の効果】
【００１２】
このような本発明の太陽集熱器一体型の屋根用折板は、山部と谷部とが連続して成る折板における谷部が、集光型の放物面形状又は複合放物面形状に形成され、集光型の放物面形状又は複合放物面形状の谷部の略焦線部分に、集熱管が設けられた構成とされている。
【００１３】
こうした構成なので、太陽集熱器を別途用意する必要がない太陽集熱器一体型であるため、従来技術に比して、コストを低くして実施できるうえに、意匠的外観が良い。
【００１４】
ここで、折板の集光型の放物面形状又は複合放物面形状の谷部の下側面に断熱材が設けられている場合は、断熱材により、折板の下側へ熱が逃げ難くなるため、熱損失を少なくして、集熱効果を高めることができる。
【００１５】
そのうえ、屋根に必要な断熱性能も同時に確保することができる。
【００１６】
また、集熱管が、透明管に囲まれ、これらの間の空間が真空とされている場合は、太陽光で熱を与えられた集熱管及び集熱管内部の熱媒の熱が略逃げることがないため、熱損失をより少なくして、集熱効果をより高めることができる。
【００１７】
さらに、折板の上側面が、透明板で塞がれている場合は、透明板により、折板の上側へ熱が逃げ難くなるため、熱損失をさらにより少なくして、集熱効果をさらにより高めることができる。
【００１８】
また、透明板に遮られて、折板の表面及び集熱管がほこりなどで汚れることがないため、透明板の表面だけを掃除して綺麗に保っておけば、太陽集熱器としての必要な性能を確保することができる。
【００１９】
また、折板の山部の頂部に、膨出部が設けられている場合は、膨出部の内側面で屋根構造部材へ容易に設置することができる。
【００２０】
本発明の屋根は、上記したいずれかの太陽集熱器一体型の屋根用折板を備えた構成とされているので、上記した太陽集熱器一体型の屋根用折板の効果を奏する屋根を構築できる。
【発明を実施するための最良の形態】
【００２１】
以下、本発明の最良の実施の形態について図面に基づいて説明する。
【００２２】
図１は、本実施の形態の太陽集熱器一体型の屋根用折板４を備えた屋根１の概略構成を示している。
【００２３】
まず、このような屋根１は、建物Ｂの上部の屋根構造材２と、その上部に立設された受具３，・・・と、これらの受具３，・・・に支持された太陽集熱器一体型の屋根用折板４とから主に構成されている。
【００２４】
そして、この太陽集熱器一体型の屋根用折板４は、山部４ａ，・・・と谷部４ｂ，・・・とが連続して成る金属製の折板４０であり、谷部４ｂ，・・・が、集光型の複合放物面形状に形成されている。
【００２５】
ここで、この集光型の複合放物面形状の谷部４ｂ，・・・の各表面は、図２に示したように、２つの左右対称な放物面を複合したものであり、鏡面仕上げとされている。
【００２６】
或いは、この集光型の複合放物面形状の谷部４ｂ，・・・の各表面は、アルミニウム箔などが貼設されていてもよい。
【００２７】
要するに、この集光型の複合放物面形状の谷部４ｂ，・・・の各表面は、反射率の良い仕上げとされていればよい。
【００２８】
また、この集光型の複合放物面形状の谷部４ｂ，・・・の略焦線部分Ｓ，・・・には、中心部を一致させて集熱管５，・・・がそれぞれ設けられている。
【００２９】
この集熱管５は、水などの熱媒６が循環するガラス管５１の周りを、支持部５２，５２を介して、透明管としてのガラス管５３で囲われており、ガラス管５１とガラス管５３との間の空間５４は、真空とされている。
【００３０】
さらに、折板４０の山部４ａ，・・・の各頂部には、膨出部４１がそれぞれ設けられている。
【００３１】
そして、建物Ｂの上部の屋根構造材２に立設された受具３，・・・の膨出した係止部３ａ，・・・へ折板４０の山部４ａ，・・・の頂部に設けられた膨出部４１，・・・の内周面が嵌め込まれている。
【００３２】
また、受具３，・・・が嵌め込まれた部分を除いた折板４０の下側面には、グラスウールなどの断熱材７が貼設されている。
【００３３】
こうして、本実施の形態の屋根１が構築されている。
【００３４】
次に、本実施の形態の作用効果について説明する。
【００３５】
このような本実施の形態の太陽集熱器一体型の屋根用折板４は、山部４ａ，・・・と谷部４ｂ，・・・とが連続して成る折板４０における谷部４ｂ，・・・が、集光型の複合放物面形状に形成され、集光型の複合放物面形状の谷部４ｂ，・・・の略焦線部分Ｓ，・・・に、集熱管５がそれぞれ設けられた構成とされている。
【００３６】
こうした構成なので、図２に示したように、矢印Ｌ１やＬ２などの様々な方向から太陽光が入射しても、各谷部４ｂの表面で、中心に焦線部分Ｓがある熱媒６へ集まり、熱媒６を加熱させることができる。
【００３７】
そのうえ、太陽集熱器を別途用意する必要がない太陽集熱器一体型であるため、従来技術に比して、コストを低くして実施できるうえに、意匠的外観が良い。
【００３８】
ここで、折板４０の集光型の複合放物面形状の谷部４ｂ，・・・の下側面に断熱材７が貼設されているので、断熱材７により、折板４０の下側へ熱が逃げ難くなるため、熱損失を少なくして、集熱効果を高めることができる。
【００３９】
そのうえ、屋根１に必要な断熱性能も同時に確保することができる。
【００４０】
また、集熱管５が、熱媒６が通るガラス管５１の周りが透明管としてのガラス管５３に囲まれ、これらの間の空間５４が真空とされているので、太陽光で熱を与えられた集熱管５及び集熱管５内部の熱媒６の熱が略逃げることがないため、熱損失をより少なくして、集熱効果をより高めることができる。
【００４１】
さらに、折板４０の山部４ａの各頂部に、膨出部４１がそれぞれ設けられているので、膨出部４１，・・・の内側面を、屋根構造部材２に立設した受具３，・・・の係止部３ａへ嵌め込むことで、容易に設置することができる。
【００４２】
本実施の形態の屋根１は、本実施の形態の太陽集熱器一体型の屋根用折板４を備えた構成とされているので、本実施の形態の太陽集熱器一体型の屋根用折板４の作用効果を奏する屋根１を構築できる。
【実施例１】
【００４３】
以下、前記した実施の形態の実施例１について、図３に基づいて説明する。なお、前記実施の形態で説明した内容と同一乃至均等な部分の説明については同一符号を付して説明する。
【００４４】
図３は、実施例１の太陽集熱器一体型の屋根用折板４Ａを備えた屋根１Ａの概略構成を示している。
【００４５】
この実施例１の太陽集熱器一体型の屋根用折板４Ａでは、折板４０の上側面が透明板としてのガラス板８で塞がれていることが、図１に示した実施の形態の太陽集熱器一体型の屋根用折板４と異なる。
【００４６】
すなわち、このような構成なので、ガラス板８により、折板４０の上側へ熱が逃げ難くなるため、熱損失をさらにより少なくして、集熱効果をさらにより高めることができる。
【００４７】
また、ガラス板８に遮られて、折板４０の表面及び集熱管５がほこりなどで汚れることがないため、ガラス板８の表面だけを掃除して綺麗に保っておけば、太陽集熱器としての必要な性能を確保することができる。
【００４８】
なお、他の構成及び作用効果については、前記実施の形態と略同様であるので説明を省略する。
【実施例２】
【００４９】
以下、前記した実施の形態の実施例２について、図４に基づいて説明する。なお、前記実施の形態及び前記実施例１で説明した内容と同一乃至均等な部分の説明については同一符号を付して説明する。
【００５０】
図４は、実施例２の太陽集熱器一体型の屋根用折板４Ｂを備えた屋根１Ｂの概略構成を示している。
【００５１】
この実施例２の太陽集熱器一体型の屋根用折板４Ｂでは、熱伝導性のよい銅などの金属から成る集熱管５０であることが、図３に示した実施例１の太陽集熱器一体型の屋根用折板４Ａと異なる。
【００５２】
すなわち、集熱管５０が簡易な構成なので、よりコストを低くして実施することができる。
【００５３】
なお、他の構成及び作用効果については、前記実施の形態及び前記実施例１と略同様であるので説明を省略する。
【００５４】
以上、図面を参照して、本発明の最良の実施の形態及び実施例を詳述してきたが、具体的な構成は、この実施の形態及び実施例に限らず、本発明の要旨を逸脱しない程度の設計的変更は、本発明に含まれる。
【００５５】
例えば、前記実施の形態及び実施例１，２では、折板４０の谷部４ｂ，・・・を複合放物面形状としたが、焦線部分を有する集光型の放物面形状として実施してもよい。
【図面の簡単な説明】
【００５６】
【図１】本発明の最良の実施の形態の太陽集熱器一体型の屋根用折板を備えた屋根の概略構成を示す縦断面図である。
【図２】本実施の形態の折板の谷部における拡大縦断面図である。
【図３】実施例１の太陽集熱器一体型の屋根用折板を備えた屋根の概略構成を示した縦断面図である。
【図４】実施例２の太陽集熱器一体型の屋根用折板を備えた屋根の概略構成を示した縦断面図である。
【符号の説明】
【００５７】
Ｂ          建物
１，１Ａ，１Ｂ    屋根
２          屋根構造材
３          受具
３ａ        係止部
４，４Ａ，４Ｂ    太陽集熱器一体型の屋根用折板
４０        折板
４ａ        山部
４ｂ        谷部
４１        膨出部
５，５０    集熱管
５１        ガラス管
５２        支持部
５３        ガラス管（透明管）
Ｓ          焦線部分
６          熱媒
７          断熱材
８          ガラス板（透明板）
【図１】
2009275451.tif 000003
【図２】
2009275451.tif 000004
【図３】
2009275451.tif 000005
【図４】
2009275451.tif 000006